(57)【要約】【課題】化粧品売り場の店頭などで容易に行うことができる、新たな画像処理方法を提供する。  【解決手段】被験者の肌画像から、体毛、特に産毛を削除処理する画像処理方法であって、被験者の肌のカラー画像を準備する工程、前記肌のカラー画像をＲＧＢプレーンに分割し、必要なプレーンデータを製造するプレーンデータ作成工程、前記工程で得られたプレーンデータに対し、２値化処理をする２値化処理工程、前記工程で２値化処理された画像において、削除処理する体毛を膨張処理する膨張処理工程、及び前記肌のカラー画像において、前記膨張処理工程で膨張させた体毛領域部分を被験者の肌色データで上書きする、削除処理工程、を含む、画像処理方法により課題を解決する。【選択図】図１
2015049666.tif 000002
【特許請求の範囲】
【請求項１】
被験者の肌画像から、体毛を削除処理する画像処理方法であって、
被験者の肌のカラー画像を準備する工程、
前記肌のカラー画像をＲＧＢプレーンに分割し、プレーンデータ画像を作成するプレーンデータ作成工程、
前記工程で得られたプレーンデータ画像に対し、２値化処理をする２値化処理工程、
前記工程で２値化処理された画像において、削除処理する体毛を膨張処理する膨張処理工程、及び
前記肌のカラー画像において、前記膨張処理工程で膨張させた体毛領域部分を被験者の肌色データで上書きする、削除処理工程、
を含む、画像処理方法。
【請求項２】
前記プレーンデータ画像がＲプレーンデータ画像である、請求項１に記載の画像処理方法。
【請求項３】
前記２値化処理が十字２値化処理である、請求項１又は２に記載の画像処理方法。
【請求項４】
被験者の肌画像から、体毛を削除処理する画像処理装置であって、
被験者の肌のカラー画像を取り込む、肌画像入手手段、
前記肌のカラー画像をＲＧＢプレーンに分割し、プレーンデータ画像を作成するプレーンデータ作成手段、
前記工程で得られたプレーンデータ画像に対し、２値化処理をする２値化処理手段、
前記工程で２値化処理された画像において、削除処理する体毛を膨張処理する膨張処理手段、及び
前記肌のカラー画像において、前記膨張処理工程で膨張させた体毛領域部分を被験者の肌色データで上書きする、削除処理手段、
を含む、画像処理装置。
【発明の詳細な説明】
【技術分野】
【０００１】
本発明は肌画像の画像処理方法、及び肌画像の画像処理に用いる画像処理装置に関する。
【背景技術】
【０００２】
カメラ等の撮像手段を用いて被験者の肌のカラー画像を入手し、そのカラー画像を解析して、被験者の肌の状態を診断する肌診断システムが存在する。このような肌診断システムは化粧品売り場の店頭に導入され、被験者に対し、診断結果を用いて被験者の肌に適した化粧品をアドバイスすることが行われている。
【０００３】
肌診断システムにおける撮像画像の解析手段も様々提案されている。例えば、キメや毛穴の微細な形状を高精度に画像抽出する技術が提案されている（例えば特許文献１参照）。
【０００４】
また、診断結果から、肌状態の程度を適切に判断することを容易にするための画像処理方法が提案されている（例えば特許文献２参照）。
【先行技術文献】
【特許文献】
【０００５】
【特許文献１】特開２００６−３０５１８４号公報
【特許文献２】特開２０１０−１４８７１３号公報
【発明の概要】
【発明が解決しようとする課題】
【０００６】
既に述べたように、化粧品売り場の店頭などで行われている肌診断システムにおいては、診断結果の画像を被験者に示した上で、被験者の肌に適した化粧品をアドバイスする場合がある。このように診断結果の画像を被験者に示す場合において、肌画像は、実施しようとする肌の診断とは関係ない情報を含む。そのため、診断結果の画像が理解し難いという状況が存在する。例えば、「肌のキメ」についての情報に基づき肌の診断を行い、「肌のキメ」の状態を被験者に説明すべく画像を提示した場合、被験者にとっては、細い体毛、特に産毛がキメに見えたり、産毛に目を奪われ、本来見るべきキメが見づらい場合がある。
本発明はこのような状況下されたものであり、化粧品売り場の店頭などで容易に行うことができる、新たな画像処理方法を提供するものである。  
【課題を解決するための手段】
【０００７】
本発明者らは、肌診断の結果を被験者に提供する際に不要となる可能性のある情報、具体的には体毛、特に産毛を肌画像から削除処理する新たな方法について検討したところ、被験者の肌のカラー画像のプレーンデータ画像を作成し、該プレーンデータ画像を２値化処理し、２値化処理した画像において削除処理すべき部分を膨張処理した上で、被験者の肌色データで上書きすることで、簡易に、体毛、特に産毛を削除する画像処理が可能となることを見出した。また、このような処理をする画像処理装置を用いることで、オートマティックに画像処理を行うことができることを見出した。本発明は以下のとおりである。
【０００８】
［１］被験者の肌画像から、体毛を削除処理する画像処理方法であって、
被験者の肌のカラー画像を準備する工程、
前記肌のカラー画像をＲＧＢプレーンに分割し、プレーンデータ画像を作成するプレー
ンデータ作成工程、
前記工程で得られたプレーンデータ画像に対し、２値化処理をする２値化処理工程、
前記工程で２値化処理された画像において、削除処理する体毛を膨張処理する膨張処理工程、及び
前記肌のカラー画像において、前記膨張処理工程で膨張させた体毛領域部分を被験者の肌色データで上書きする、削除処理工程、
を含む、画像処理方法。
［２］前記プレーンデータ画像がＲプレーンデータ画像である、［１］に記載の画像処理方法。
［３］前記２値化処理が十字２値化処理である、［１］又は［２］に記載の画像処理方法。
【０００９】
また、本発明の第二の態様は、以下のとおりである。
［４］被験者の肌画像から、体毛を削除処理する画像処理装置であって、
被験者の肌のカラー画像を取り込む、肌画像入手手段、
前記肌のカラー画像をＲＧＢプレーンに分割し、プレーンデータ画像を作成するプレーンデータ作成手段、
前記工程で得られたプレーンデータ画像に対し、２値化処理をする２値化処理手段、
前記工程で２値化処理された画像において、削除処理する体毛を膨張処理する膨張処理手段、及び
前記肌のカラー画像において、前記膨張処理工程で膨張させた体毛領域部分を被験者の肌色データで上書きする、削除処理手段、
を含む、画像処理装置。
【発明の効果】
【００１０】
本発明によれば、化粧品売り場の店頭などで容易に画像処理を行うことができるようになり、また、被験者への診断結果の説明が容易となる。
【図面の簡単な説明】
【００１１】
【図１】本発明の画像処理の工程を示すフローチャートである。
【図２】本発明の画像処理装置の構成例を示す図である。
【図３】本発明の画像処理を施す前の肌画像（ａ）と、産毛削除処理を施した後の肌画像（ｂ）である（図面代用写真）。
【発明を実施するための形態】
【００１２】
以下、本発明について詳細に説明するが、本発明は、説明のために例示する具体的な実施態様のみに限定されるものではない。
本発明の第一の態様は、肌を構成する肌構成要素のうち、その一部を削除処理する画像処理方法であって、以下の工程を含む。
１）肌のカラー画像準備工程、
２）プレーンデータ作成工程、
３）２値化処理工程、
４）膨張処理工程、
５）削除処理工程、
【００１３】
本発明の画像処理方法は、肌を構成する肌構成要素のうち、その一部を削除処理する画像処理方法であり、具体的には体毛、特に産毛を対象とする。
【００１４】
１）肌のカラー画像準備工程
まず、肌のカラー画像を準備する。カラー画像の入手手段は特に限定されることはなく
、デジタルビデオカメラなどの撮像手段を用いて、カラー画像を入手すればよい。
準備したカラー画像は、画像処理を行うため、コンピュータに取り込まれる。そのため、コンピュータと接続される撮像手段を用いて被験者の肌を撮像することが、撮像と同時に画像データをコンピュータに取り込むことができるため、好ましい。
【００１５】
２）プレーンデータ作成工程
上記肌のカラー画像準備工程で準備した画像は、コンピュータに取り込まれ画像処理が行われる。本発明の実施態様に係る画像処理では２値化処理工程を含むが、その前にプレーンデータ画像としておくことを特徴とする。
肌の画像処理、特に、肌構成要素の一部を削除処理する場合、削除処理する肌構成要素部分のみを認識して分離することが必要となる。本発明者らは、肌画像においては、プレーンデータ画像とすることで２値化処理後に削除対象の肌構成要素のみを分離することが容易となることに想到した。
プレーンデータは、削除処理する肌構成要素の対象により、適宜好ましいものを選択するが、削除処理する肌構成要素が体毛の場合には、２値化処理後に体毛領域を際立たせることができるため、Ｒプレーンデータ画像とすることが好ましい。
プレーンデータ画像は、例えば肌のカラー画像をＲＧＢプレーンに分割し、所望のプレーンデータとして作成してもよいし、所望のプレーンデータをその他のプレーンデータにコピーして作成してもよい。例えばＲプレーンデータ画像作成する際には、分解したＲプレーンのデータをそのまま画像として作成してもよいし、ＲプレーンデータをＧプレーンデータ及びＢプレーンデータにそれぞれコピーすることで作成してもよい。
【００１６】
３）２値化処理工程
上記工程で作成したプレーンデータ画像に対し、２値化処理を行う。２値化処理は、既知の方法を適用すればよく、２値化処理により、削除処理する肌構成要素を明確に認識することができる。本実施態様においては、特に産毛の場合、その形状も加味した２値化処理として十字２値化処理を用いることが好ましい。十字２値化処理は、肌のカラー画像を撮像して入手する際の光のムラ（照明ムラ）の影響を受けることなく２値化することが可能である。なお、十字２値化処理は、例えば特開２００８−０６１８９２号公報に、その詳細が開示される。
【００１７】
４）膨張処理工程
上記工程で２値化された画像に対し、削除処理する肌構成要素領域を膨張させる膨張処理を行う。膨張処理では、削除処理する肌構成要素領域を膨張化させることで、後述する削除処理において仕上がりを奇麗にすることができる。
膨張化処理は、削除処理において仕上がりを奇麗に行うことができる程度であれば良く、例えば、元の形状の外周に沿って、１画素分外側をなぞることで膨張処理を行うことができる。このような操作は、仕上がりを奇麗にするために複数回行ってもよい。
【００１８】
本発明において、削除処理する肌構成要素が産毛の場合、特に色の薄い産毛と肌のキメとの区別が難しい。このような状況においても、Ｒプレーンデータ画像を作成したうえで２値化処理をし、さらに膨張処理を行うことで、キメを排除し、産毛のみを認識することがでる。
【００１９】
５）削除処理工程
被験者の肌のカラー画像において、上記工程で膨張処理された画像により特定された該肌構成要素領域を、該肌構成要素領域以外のデータ、具体的には肌色データで上書きする。同一被験者の肌画像のうち、削除処理する領域に近接した肌色データデータで削除処理する肌構成要素を塗りつぶすことで、画像処理後の肌画像を自然な仕上がりとすることができる。
【００２０】
これらの工程のうち、２）乃至５）については、コンピュータに必要なプログラミングを行うことで、自動で画像処理を行うことが可能となる。
すなわち、本発明の第三の態様は、コンピューターを、上記２）乃至５）の工程を行うように機能させるプログラムである。本実施態様に係るプログラムは、パソコンなどのハードウエアにインストールすることにより、使用することができる。
【００２１】
また、本発明の第二の態様は、上記画像処理方法を実施する画像処理装置であって、以下の構成を含む画像処理装置である。
ｉ）肌画像入手手段、
ｉｉ）プレーンデータ作成手段、
ｉｉｉ）２値化処理手段、
ｉｖ）膨張処理手段、
ｖ）削除処理手段、
【００２２】
上記画像処理装置の具体的な構成について、図２を用いて説明する。本実施態様に係る画像処理装置は、パーソナルコンピュータのような汎用コンピュータであってよく、画像処理専用のコンピュータであってもよい。入力部１は、画像処理装置に対し作動指令を入力する手段であり、例えばキーボードなどの入力手段を用いることができる。
画像取得部２は、肌画像を取得する手段であり、デジタルビデオカメラや、市販のデジタル式マイクロスコープを使用することができる。
ＣＰＵ３（Ｃｅｎｔｒａｌ  Ｐｒｏｃｅｓｓｉｎｇ  Ｕｎｉｔ）は、取得した肌画像データからプレーンデータ画像を作成するプレーンデータ作成手段、２値化処理手段、膨張処理手段、及び削除処理手段を含む。本発明の第三の実施態様に係る画像処理プログラムをコンピュータにインストールすることで、ＣＰＵ３が上記手段として機能する。
ＲＡＭ４（Ｒａｎｄｏｎ  Ａｃｃｅｓｓ  Ｍｅｍｏｒｙ）は、一時的なデータを格納する記憶手段である。また、ＲＡＭ４にアクセスすることで、蓄積された処理済画像データを取り出すことが可能である。
表示部５は、処理済の画像データを出力する手段であり、例えば液晶ディスプレイなどの表示手段や、カラープリンタなどの出力手段とすることができる。
【００２３】
以下、肌画像から産毛を削除する画像処理を行う場合の具体的な実施態様について、図を用いて説明する。
図１は本発明の画像処理方法に係るフローチャートであり、肌画像における産毛を削除処理する方法の具体例を示す。
まず、ステップ１（Ｓ１）では、被験者の肌画像、例えば頬部画像をカメラで撮影し画像データをコンピュータに取り込む。画像データの取り込みには、例えばビデオマイクロスコープを用いる。
取得する肌画像の対象領域は特に限定されず、目的に応じて適宜撮影領域を設定すればよい。化粧料売り場での使用を目的とする場合、対象となる肌画像領域は化粧料を適用する顔領域であることが好ましく、頬領域であることがより好ましい。
【００２４】
ステップ２（Ｓ２）では、取得した画像データをＲＧＢプレーンに分割し、必要なプレーンデータ画像を作成する。産毛データの削除処理をする場合には、Ｒプレーンのデータを、Ｇプレーン及びＢプレーンにコピーすることで、ＲプレーンのデータのみからなるＲプレーンデータ画像を作成する。
これらの画像処理は、例えばアドビシステムズ社製フォトショップなどのソフトを用いることにより行うことができる。
【００２５】
ステップ３（Ｓ３）では、作成したＲプレーンデータ画像に対し十字２値化処理をし、
産毛濃度領域と非産毛濃度領域との２領域に画素を分離した画像を作成する。ステップ３では、産毛とそれ以外の部分を分離することを目的としており、通常の２値化処理でも当該目的を達成できるが、十字２値化処理を採用することで、照明ムラの影響を受けることなく２値化することができる。
なお、十字２値化処理は、特開２００８−０６１８９２号公報に開示の表皮組織定量化装置を使用して行うことができる。
【００２６】
ステップ４（Ｓ４）では、画像処理後の肌画像を自然な仕上がりとするために、十字２値化処理した画像に対し産毛濃度部分の膨張処理を行う。膨張処理は、例えばナノハンター（ナノシステム株式会社製）などの画像処理ソフトを用いて行うことができる。前記ステップ３で２値化処理した画像において、産毛濃度領域に対し４近傍１回の膨張処理を実施した。当該膨張処理は、複数回行ってもよい。
【００２７】
ステップ５（Ｓ５）では、肌画像において、ステップ４で膨張処理した産毛領域を、肌色データで塗りつぶす作業を行う。具体的には、アドビシステムズ社製フォトショップなどのソフトを用い、ステップ１で撮影した画像と、ステップ４で処理した画像の２画像をレイヤー画像として準備し、双方を重ね合わせた。その後、ステップ４で処理した画像のみを７画素右に移動させ、産毛領域を削除した。
なお、ステップ５の処理は６４０×４８０ピクセルの画像において実施した。画素数が異なる場合には、レイヤー画像の移動幅が異なる。
【００２８】
ステップ６では、ステップ５の処理後の画像データを出力する。その結果を図３に示す。
本実施態様に係る画像処理方法により、簡易な方法で、自然な仕上がりの処理画像を作成することができる。
【００２９】
以上、本発明の具体的な実施態様について説明したが、本発明はこのような特定の実施態様のみに限定されるものではなく、本発明の要旨の範囲内において、様々な変更が可能であることはいうまでもない。
【符号の説明】
【００３０】
１  入力部
２  画像取得部
３  ＣＰＵ
４  ＲＡＭ
５  表示部
【図１】
2015049666.tif 000003
【図２】
2015049666.tif 000004
【図３】
2015049666.tif 000005